(57)【要約】【課題】曲率の大きな曲面状の被取付け面に確実に固定できる機器取付けスタンドを提供する。【解決手段】機器１０を曲面状の被取付け面に取外し可能に固定するための機器取付けスタンド１００であって、機器１０の底面が載置される平板状の載置部２１０と、載置部２１０の周縁から下方に延出した段差部２２０と、段差部２２０の下端から外側に向かって延出した複数のアーム部２３０と、複数のアーム部２３０のそれぞれに対して片持ち梁状に形成された枝部２４０を有する板金部２００と、板金部２００の載置部２１０の周囲を包囲するように、アーム部２３０及び枝部２４０と一体成形された弾性樹脂製の外装部３００と、板金部２００と外装部３００の載置部２１０を除く下面側に貼付けられた粘着ゲルシート４００と、を備えて構成される。【選択図】図２
2013203272.tif 000002
【特許請求の範囲】
【請求項１】
機器を曲面状の被取付け面に取外し可能に固定するための機器取付けスタンドであって、
前記機器の底面が載置される平板状の載置部と、前記載置部の周縁から下方に延出した段差部と、前記段差部の下端から外側に向かって延出した複数のアーム部と、前記複数のアーム部のそれぞれに対して片持ち梁状に形成された枝部を有する板金部と、
前記板金部の前記載置部の周囲を包囲するように、前記アーム部及び枝部と一体成形された弾性樹脂製の外装部と、
前記板金部と前記外装部の前記載置部を除く下面側に貼付けられた粘着ゲルシートと、
を備えて構成される機器取付けスタンド。
【請求項２】
前記外装部は、前記載置部の周縁部の周囲を包囲するシート部と、前記シート部において前記載置部よりも上方に突出した外郭部を備え、前記載置部と前記外郭部は機器収容凹部を形成し、さらに、前記外郭部の一部を前記載置部と同一の高さまで取除くことによって機器導入口が形成され、前記機器導入口に隣接する前記外郭部がガイドレールを構成する機器取付けスタンド。
【請求項３】
前記載置部は、周縁部から外側に拡張された張出し部を備えており、前記張出し部にはビス孔が設けられる請求項１又は２に記載の機器取付けスタンド。
【発明の詳細な説明】
【技術分野】
【０００１】
本発明は、電子機器を被取付け面上に取外し可能に固定するための機器取付けスタンドに関する。
【背景技術】
【０００２】
従来、携帯型のカーナビゲーション装置や後付け用のカーナビゲーション装置のモニタユニットを、機器取付けスタンドを使用して自動車のダッシュボード等の被取付け面上に取付けることが行われていた。
【０００３】
例えば、下記特許文献１（特開２００７−１１８７８３号公報）は、比較的広い面積を有する半楕円形のベースプレートの中心部に台座を載置する円形突起部を備え、この円形突起部の上に、一端に機器取付け部および多端に連結部が設けられた連結部材を挟持固定する円筒形のカバー部材が載置され、さらに、上述したベースプレートに外周方向に放射状のスリットが複数本形成されることによってベースプレートが複数枚のプレート片に分割された機器取付けスタンドを開示している。この機器取付けスタンドを自動車のダッシュボード等の被取付け面に取付ける際には、上述のプレート片を取付け面に合わせて折り曲げ、各プレート片の裏面とダッシュボードとを両面接着体で貼付ける。
【０００４】
さらに、自動車のダッシュボード等の被取付け面への取付けの吸着力を増すことを目的として、下記特許文献２（特開２０１１−１３７５０８号公報）は、吸盤を被吸着面に密着させた状態で吸盤中央部分を引き上げてロックすることにより強制的に真空状態を作り出すスタンド装置を開示している。このスタンド装置によれば、吸盤を被吸着面に強力に密着させることができる。
【先行技術文献】
【特許文献】
【０００５】
【特許文献１】特開２００７−１１８７８３号公報
【特許文献２】特開２０１１−１３７５０８号公報
【発明の概要】
【発明が解決しようとする課題】
【０００６】
しかしながら、上記特許文献１の機器取付けスタンドにおいては、複数のプレート片を被取付け面の形状に折曲げることができたが、プレート片が両面接着体によって被取付け面に半永久的に取付けられるので、一度貼り付けてしまうと剥がすことが難しいという問題があった。仮に両面接着体を被取付け面から剥がしたとしても両面接着体の跡が汚く残ってしまったり、被取付け面を損傷したりしてしまうおそれがあった。
【０００７】
また、上記特許文献２のスタンド装置によれば、平面状の被吸着面には比較的良好に吸着する一方で、曲率が大きな曲面状の被吸着面に対しては、内部に真空状態を作り出すことが難しく、吸着力が弱くなり確実に固定することができない場合があるという課題があった。
【０００８】
そこで、本発明の目的は、曲率が大きな曲面状の被取付け面に対しても確実に固定することができる機器取付けスタンドを提供することである。
【課題を解決するための手段】
【０００９】
上記目的を達成するために、本発明は、機器を曲面状の被取付け面に取外し可能に固定するための機器取付けスタンドであって、前記機器の底面が載置される平板状の載置部と、前記載置部の周縁から下方に延出した段差部と、前記段差部の下端から外側に向かって延出した複数のアーム部と、前記複数のアーム部のそれぞれに対して片持ち梁状に形成された枝部を有する板金部と、前記板金部の前記載置部の周囲を包囲するように、前記アーム部及び枝部と一体成形された弾性樹脂製の外装部と、前記板金部と前記外装部の前記載置部を除く下面側に貼付けられた粘着ゲルシートと、を備えて構成されることを特徴とする。
【００１０】
これにより、本発明によれば、段差部の下端から延出した複数のアーム部とアーム部に対して片持ち梁状に形成された枝部とを被取付け面の形状に合わせて曲げるとともに、曲げられた形状に維持することができるので、この機器取付けスタンドを、曲面状の被取付け面に確実に載置することが可能となる。また、板金部の載置部とアーム部の間には段差部が形成されているので、被取付け面と板金部の載置部との間に空間が形成され、その空間に被取付け面の曲面状の頂部を収容することができるため、曲率が大きな曲面状の被取付け面に対しても確実に固定することができる。
【００１１】
また、本発明の機器取付けスタンドにおいては、前記外装部が、前記載置部の周縁部の周囲を包囲するシート部と、前記シート部において前記載置部よりも上方に突出した外郭部を備え、前記載置部と前記外郭部は機器収容凹部を形成し、さらに、前記外郭部の一部を前記載置部と同一の高さまで取除くことによって機器導入口が形成され、前記機器導入口に隣接する前記外郭部がガイドレールを構成することを特徴とする。
【００１２】
上記発明によれば、機器底面を機器導入口からガイドレールに沿って機器収容凹部へスライド式に挿入したり、又は取外したりすることが可能となる。
【００１３】
また、本発明の機器取付けスタンドにおいては、前記載置部が、周縁部から外側に拡張された張出し部を備えており、前記張出し部にはビス孔が設けられることを特徴とする。
【００１４】
上記発明によれば、この機器取付けスタンドを粘着ゲルシートによって被取付け面に固定するだけでなく、ビスをビス孔から被取付け面に螺合させることによって、機器取付けスタンドを堅固に被取付け面に固定することができるようになる。
【発明の効果】
【００１５】
以上の説明から明らかなように、本発明の機器取付けスタンドによれば、曲率が大きな曲面状の被取付け面に対してしっかりと固定することができるようになるという効果を得ることができる。
【図面の簡単な説明】
【００１６】
【図１】本発明の一実施形態の機器取付けスタンドにナビゲーション装置が取付けられた際の外観斜視図である。
【図２】本発明の一実施形態の機器取付けスタンドの外観斜視図である。
【図３】本発明の一実施形態の機器取付けスタンドから外装部を取除いた板金部の図であり、図３（ａ）は平面図、図３（ｂ）は図３（ａ）のＢ−Ｂ線で切断した場合のＢ−Ｂ線断面図、図３（ｃ）は図３（ａ）のＣ−Ｃ線で切断した場合のＣ−Ｃ線断面図、図３（ｄ）は図３（ａ）のＤ−Ｄ線で切断して側方から見た場合のＤ−Ｄ線断面図である。
【図４】図３（ｂ）のＩＶ部分の部分拡大図である。
【図５】本発明の一実施形態の機器取付けスタンドを示す図であり、図５（ａ）は平面図、図５（ｂ）は正面図、図５（ｃ）は右側面図、図５（ｄ）は背面図、図５（ｅ）は左側面図、図５（ｆ）は底面図である。
【図６】本発明の一実施形態の機器取付けスタンドを、粘着ゲルシートを取除いて下方から見た場合の図である。
【図７】本発明の一実施形態の機器取付けスタンドを被取付け面に取付けた場合の断面図である。
【発明を実施するための形態】
【００１７】
次に、本発明の実施の形態について図面を参照して詳細に説明する。図１は、本発明の一実施形態の機器取付けスタンド１００に携帯型ナビゲーション装置（以下、ナビゲーション装置）１０が取付けられた際の外観斜視図である。
【００１８】
なお、本実施形態において、「前方」という場合、図１においてナビゲーション装置１０のディスプレイ２２が向いている方向（矢印Ａ）を指し、「後方」は矢印Ａと反対の方向を指す。また、「上方」は図１における上方を指し、「下方」とは、図１における下方を指す。
【００１９】
図１を参照すると、ナビゲーション装置１０が機器取付けスタンド１００に取付けられている。ナビゲーション装置１０は、モニタ２０、本体部３０、モニタ開閉機構４０を備えて構成される。モニタ２０はハウジング２１、ハウジング２１の前面に設けられた液晶ディスプレイ２２、ハウジング２１の後面に設けられた支持部（図示せず）を備えて構成される。本体部３０は、機器取付けスタンド１００に図２の矢印Ａの向きに後方からスライド式に挿入された際に、機器取付けスタンド１００に形成された後述する機器収容凹部にぴったりと収まる形状に形成されている。本体部３０上にはモニタ開閉機構４０が設けられる。モニタ開閉機構４０は、本体部３０とナビゲーション装置１０の支持部を連結するだけでなく、ナビゲーション装置１０を使用する際には図１に示すようにディスプレイ２２を略直立した状態に保持する。一方、モニタ開閉機構４０は、ナビゲーション装置１０を使用しない場合には、ディスプレイ２２が下方を向くようにモニタ２０を手前に倒す。
【００２０】
上述のナビゲーション装置１０は、自動車のダッシュボード等の曲面状の被取付け面上に設置するため、予め被取付け面上に固定された機器取付けスタンド１００の機器収容凹部に後方から矢印Ａの向きにスライドさせて挿入する。それにより、ナビゲーション装置１０を、機器取付けスタンド１００を用いて被取付け面上に容易に設置したり取外したりすることが可能となる。
【００２１】
次に図２を参照して機器取付けスタンド１００の構成について説明する。図２は、本発明の一実施形態の機器取付けスタンド１００の外観斜視図である。機器取付けスタンド１００は、板金部２００、板金部２００と一体成形された弾性樹脂製の外装部３００を備えている。なお、図２においては、板金部２００は一部のみが視認できる。
【００２２】
板金部２００は、上側から全体を視認できないので、図３、図４を参照して、板金部２００について詳細に説明する。なお、図３は、板金部２００の図であり、図３（ａ）は平面図、図３（ｂ）は図３（ａ）のＢ−Ｂ線で切断した場合のＢ−Ｂ線断面図、図３（ｃ）は図３（ａ）のＣ−Ｃ線で切断した場合のＣ−Ｃ線断面図、図３（ｄ）は図３（ａ）のＤ−Ｄ線で切断して側方から見た場合のＤ−Ｄ線断面図である。また、図４は、図３（ｂ）のＩＶ部分の部分拡大図である。板金部２００は、平面状の金属平板を打抜き加工することによって形成され、載置部２１０、段差部２２０、アーム部２３０、枝部２４０から構成される。
【００２３】
載置部２１０は、載置面を有する。載置面は、矩形状の平面となるように構成されており、ナビゲーション装置１０の本体部３０が機器取付けスタンド１００の機器収容凹部３３０に装着された際に、機器取付けスタンド１００の本体部３０の底面がこの載置面上に載置される。
【００２４】
載置部２１０は、さらに、載置面内に係止孔２１２が複数個所形成されている。本実施形態では、係止孔２１２は載置面の四隅付近に１つずつ、合計４つ形成されており、前方側の２つの係止孔２１２は、後方側の２つ係止孔２１２の矢印Ａに対して平行な直線上前方に位置している。係止孔２１２は、ガイド孔２１２ａと係止溝２１２ｂから構成され、矢印Ａの向きに沿って長細く形成された矩形状の開口であり、係止溝２１２ｂはガイド孔２１２ａの幅よりも細幅の溝状でガイド孔２１２ａの前端部から所定長さ延長して形成される。この係止孔２１２は、ナビゲーション装置１０が機器取付けスタンド１００の機器収容凹部３３０に矢印Ａの向きにスライド式に挿入された際に、本体部３０の下面に形成された係止爪（図示せず）をガイド孔２１２ａから受入れて、その後係止爪を係止溝２１２ｂに受入れる。これにより、ナビゲーション装置１０は機器取付けスタンド１００に固定状態に保持される。
【００２５】
載置部２１０の左右両側には半円形状に張出した張出し部２１３が形成され、この張出し部２１３にはビス孔２１３aが形成され、このビス孔２１３aにビス（図示せず）を通して自動車のダッシュボード等の被取付け面に螺合させることにより、板金部２００を被取付け面に固定するようにしてもよい。
【００２６】
段差部２２０は、載置部２１０の周縁から下方に向けて所定高さだけ延出するように形成される。段差部２２０は、特に図４に示されるように、載置部２１０の周縁から下方に向けて所定角度で折り曲げられた第１の肩部２２１、段差部２２０の下端において所定角度で水平方向に折り曲げられた第２の肩部２２２、第１の肩部２２１と第２の肩部２２２の間を接続する壁部２２３より構成される。
【００２７】
壁部２２３の高さは下記のようにして決定される。つまり、この機器取付けスタンド１００が自動車のダッシュボード等の曲面状の被取付け面に固定された際に、段差部２２０と載置部２１０の下面によって形成される空間内に上記の曲面状の被取付け面が収容できるような高さである。機器取付けスタンド１００が被取付け面に固定された際に、被取付け面の曲面状の頂部は機器取付けスタンド１００の段差部２２０の第２の肩部２２２よりも上方に位置するが、段差部２２０によって被取付け面の曲面上の頂部より上方に支持されているので、機器取付けスタンド１００の載置部２１０の下面が頂部に接触して載置部２１０が上方に持上げられ、アーム部が被取付け面に接触しなくなってしまうことによって生じるガタツキ等を防止できる。
【００２８】
アーム部２３０は段差部２２０の第２の肩部２２２から水平方向外側に向かって複数本延出する。本実施形態においては、合計１０本のアーム部２３０が段差部２２０の第２の肩部２２２から外側水平方向に突出している。それぞれのアーム部２３０は段差部２２０の第２の肩部２２２から片持ち梁状に突出する。
【００２９】
具体的に説明すると、段差部２２０の前方側の第２の肩部２２２、後方側の第２の肩部２２２、右側の第２の肩部２２２、左側の第２の肩部２２２の中央部付近からそれぞれ前方、後方、右方向、左方向外側に向かってアーム部２３０が延出する。
【００３０】
また、段差部２２０の前方側の第２の肩部２２２と右側の第２の肩部２２２との接続部付近、及び前方側の第２の肩部２２２と左側の第２の肩部２２２との接続部付近からそれぞれ前方に向かってアーム部２３０が延出する。
【００３１】
また、段差部２２０の後方側の第２の肩部２２２と右側の第２の肩部２２２との接続部付近、及び後方側の第２の肩部２２２と左側の第２の肩部２２２との接続部付近からそれぞれ２本ずつ左右、及び後方に向けてアーム部２３０が延出する。
【００３２】
それぞれのアーム部２３０の先端には片持ち梁状に形成された枝部２４０が形成されている。例えば、前方側の第２の肩部２２２から前方に突出したアーム部２３０の先端には、左右方向に分岐した枝部２４０ａ、２４０ｂが設けられる。従って、段差部２２０の前方側に形成されたアーム部２３０と枝部２４０ａ、２４０ｂはＴ字形状を呈する。段差部２２０の右側及び左側、後方側の第２の肩部２２２に形成されたアーム部２３０も同様に、その先端には、前後方向、或いは左右方向に分岐し、アーム部２３０とともに見た場合にＴ字形状を呈する枝部２４０ａ、２４０ｂが形成される。
【００３３】
また、前方側の段差部２２０の第２の肩部２２２と左右両側の段差部２２０の第２の肩部２２２、第２の肩部２２２から突出したアーム部２３０の先端からは、左右方向外側に向けてそれぞれ湾曲した形状の枝部２４０ｃが形成される。枝部２４０ｃの先端には、そこからさらに後方に向けて湾曲した形状の指部２４１が設けられ、指部２４１には開口部２４２が形成される。
【００３４】
また、後方側の段差部２２０の第２の肩部２２２と左右両側の段差部２２０の第２の肩部２２２との接続部付近から左右方向に突出したアーム部２３０の先端からは、前方に向けてそれぞれ湾曲した形状の枝部２４０ｄが形成される。アーム部２３０と枝部２４０ｄをともに見た場合にこれらはＬ字形状を呈する。
【００３５】
さらに、後方側の段差部２２０の第２の肩部２２２と左右両側の段差部２２０の第２の肩部２２２との接続部付近から後方に突出したアーム部２３０の先端からは、左右方向外側に向けてそれぞれ湾曲した形状の枝部２４０ｅが形成される。枝部２４０ｅの先端には、そこからさらに左右外側及び前方に向かって広がった翼部２４３がそれぞれ形成され、翼部２４３には開口部２４４、２４５が形成される。
【００３６】
次に、図５、図６を参照して外装部３００について説明する。なお、図５は、本実施形態の機器取付けスタンド１００を示す図であり、図５（ａ）は平面図、図５（ｂ）は正面図、図５（ｃ）は右側面図、図５（ｄ）は背面図、図５（ｅ）は左側面図、図５（ｆ）は底面図である。図６は、本実施形態の機器取付けスタンド１００を、粘着ゲルシートを取除いて下方から見た場合の図である。外装部３００は、弾性樹脂製、例えば、ＴＰＡ（Ｔｈｅｒｍｏｐｌａｓｔｉｃ  Ｐｏｌｙ−Ａｍｉｄｅ  Ｅｌａｓｔｏｍｅｒ：ポリアミド系熱可塑性エラストマー）と呼ばれるエラストマー樹脂で形成される。ＴＰＡは、強靭で、耐摩耗性、耐薬品性に優れているという特徴がある。この外装部３００は、板金部２００の載置部２１０の周縁部を包囲するとともに板金部２００のアーム部２３０及び枝部２４０と一体成形されたシート部３１０と、載置部２１０の周縁部の左右両側及び前方側を包囲するようにシート部３１０上に突出するように形成される外郭部３２０とを備えて構成される。
【００３７】
シート部３１０は、矩形状所定厚さで形成され、上面３１１、下面３１２を備える。シート部３１０の上面３１１は、板金部２００の載置部２１０の周囲を包囲するとともにアーム部２３０、枝部２４０の上側を完全に覆う。シート部３１０の下面３１２はその４隅に保持部３１３が設けられ、保持部３１３は板金部２００の枝部２４０ｃの先端部分及び指部２４１、及び枝部２４０ｅの翼部２４３を取込むようにして一体成形されている。これらの保持部３１３は、一体成形を行う際に、弾性樹脂が指部２４１に設けられた開口部２４２や、翼部２４３に設けられた開口部２４４、２４５を通してアーム部２３０及び枝部２４０の下面側に回り込むことによって形成される。
【００３８】
シート部３１０の下面３１２のそれぞれの保持部３１３の間には、外縁部に沿って外縁保持部３１４が設けられ、外縁保持部３１４は枝部２４０ａ、２４０ｂ、２４０ｄの外側、及び前縁、後縁の部分を外側から包込むようにして一体成形されている。上述したように、アーム部２３０及び枝部２４０の一部（枝部２４０の一部分）は外装部３００のシート部３１０に埋め込まれているが、図６から明らかなように、アーム部２３０及び枝部２４０の他の一部分は下方に露出する。この露出部分には後述する粘着ゲルシート４００が貼り付けられ、これによって機器取付けスタンド１００を被取付け面に固定することができる。
【００３９】
上記の構成により、この機器取付けスタンド１００を自動車のダッシュボード等の曲面状の被取付け面に設置する際に、アーム部２３０及び枝部２４０を被取付け面の曲面形状に合わせて曲げることができる。また、このアーム部２３０及び枝部２４０は板金で形成されているため、外装部３００とともにその曲げられた形状を維持することができる。
【００４０】
また、シート部３１０の上面３１０及び下面３２０の、載置部２１０の周囲を包囲している部位には、左右にくぼんだ凹部３１５が形成され、ここに上述した張出し部２１３が収容される。
【００４１】
外郭部３２０は、載置部２１０の周縁部の左右両側及び前方側を包囲するようにシート部３１０上に上方に向けて突出するように形成され、外郭部３２０によって囲まれる機器収容凹部３３０を形成する。外郭部３２０はシート部３１０の上面３１１から垂直に突出した内壁面３２１と内壁面３２１の頂部から外側に向かって傾斜して外装部３００の外縁部に至る外壁面３２２より構成される。さらに、シート部３１０の、載置部２１０の後方側には外郭部３２０は形成されておらず、載置部２１０と同一の高さの機器導入口３４０が形成される。載置部２１０の左右両側に位置する内壁面３２１はナビゲーション装置１０の本体部３０が挿入される際のガイドレールとして機能する。
【００４２】
つまり、ナビゲーション装置１０を機器取付けスタンド１００に取付ける際に、ナビゲーション装置１０の本体部３０を機器取付けスタンド１００の機器導入口３４０から機器収容凹部３３０にスライド式に挿入する。すると、ナビゲーション装置１０の本体部３０の左右両側部が内壁面３２１に案内されて前方に移動し、ナビゲーション装置１０の本体部３０は載置部２１０の載置面上に載置される。このとき、本体部３０の下面に形成された係止爪（図示せず）が係止孔２１２ａに受入れられ、その後係止溝２１２ｂに挿入されて係止され、これによって機器取付けスタンド１００はこの板金部２００にしっかりと固定される。
【００４３】
粘着ゲルシート４００は、略矩形状の粘着ゲル体であり、アーム部２３０及び枝部２４０の下面の露出部分に貼付けられる。具体的には、図５（ｆ）に示されるように、粘着ゲルシート４００は、板金部２００の段差部２２０の外側と、外装部３００の保持部３１３と外縁保持部３１４との間のアーム部２３０及び枝部２４０の露出部分を下方から覆うように貼付けられる。
【００４４】
上記に説明した機器取付けスタンド１００を自動車のダッシュボード等の被取付け面に固定した場合の状態を、図７を参照して説明する。なお、図７は、本実施形態の機器取付けスタンドを曲率が１／５００ｍｍの被取付け面６００に取付けた場合の断面図である。
【００４５】
この被取付け面６００上に機器取付けスタンド１００を置く際に、被取付け面６００の形状に合わせてアーム部２３０及び枝部２４０を外装部３００のシート部３１０とともに曲げる。それぞれのアーム部２３０は段差部２２０の第２の肩部２２２から前後方向及び左右方向に片持ち梁状に突出しているため容易に曲げることができる。さらに、それぞれの枝部２４０もアーム部２３０の先端から片持ち梁状に形成されているために、容易に曲げることが可能である。そして、外装部３００が板金部２００の枝部２４０やアーム部とともに一体成形されていることにより、弾性樹脂製の外装部３００は、板金部２００と一緒に曲げられるとともに曲げられた形状のまま維持される。その結果、外装部３００の底面は、被取り付け面の曲面形状と一致した形状のまま維持されることとなり、曲面状の被取付け面６００に機器取付けスタンド１００を確実に固定することが可能となる。
【００４６】
さらに、図７では、板金部２００の段差部２２０を起点としてアーム部２３０、枝部２４０が被取付け面６００の形状に合わせて曲げられている。しかし、段差部２２０を境界として載置部２１０は変形しておらず、ナビゲーション装置１０の本体部３０の平面状の底面を支持することが可能である。また、段差部２２０が存在していることによって、アーム部２３０を曲げた際に載置部２１０に応力が伝わってしまいアーム部２３０とともに変形することが防止できる。
【００４７】
そして、アーム部２３０、枝部２４０を曲げた機器取付けスタンド１００を、粘着ゲルシート４００の下面を被取付け面６００に貼り付けることにより被取付け面６００上に固定すると、図７に示すように、段差部２２０の第２の肩部２２２が被取付け面６００に近接する。しかし、本実施形態の機器取付けスタンド１００においては、板金部２００の段差部２２０は、曲率が最大１／５００ｍｍまでの被取付け面６００を受入れることのできる高さとなるように設定されている。そのため、本実施形態の機器取付けスタンド１００では、被取付け面６００と第１の肩部２２１、載置部２１０の下面の間には空間Ｓが形成され、ここに被取付け面６００の曲面状の頂部を収容することができる。従って、被取付け面６００が曲面状であるか平面状であるかに関わりなく載置部２１０を平面状に維持することが可能となり、機器取付けスタンド１００を被取付け面６００上にがたつきなく確実に固定することが可能となる。
【００４８】
なお、本実施形態においては、段差部２２０の壁部２２３の高さは、半径Ｒが５００ｍｍまでの被取付け面を空間Ｓに受容できるような高さに設定されている。この段差部２２０の高さは、曲率の大きな被取付け面に対して設置可能とするためには高く設定し、曲率の小さな被取付け面にした設置しないような場合には小さく設定することができる。このように、この機器取付けスタンド１００を取付けようとする被取付け面の最大の曲率に応じて段差部２２０の高さを設定することによって、様々な曲率の被取付け面に設置することが可能となる。
【００４９】
また、機器取付けスタンド１００は粘着ゲルシート４００によって被取付け面６００に固定されるので、ユーザは容易に機器取付けスタンド１００を固定することができ、取外しも容易になる。
【００５０】
なお、上記実施形態においては、機器取付けスタンド１００に取付けられる機器はナビゲーション装置１０を例として挙げたが、本発明は上記実施形態に限られず、例えば、テレビモニタ等の他のモニタユニットが取付けられるものであってもよい。
【符号の説明】
【００５１】
１０  ナビゲーション装置
２０  モニタ
２１  ハウジング
２２  液晶ディスプレイ
３０  本体部
４０  モニタ開閉機構
１００  機器取付けスタンド
２００  板金部
２１０  載置部
２１２  係止孔
２１３  張出し部
２２０  段差部
２２１  第１の肩部
２２２  第２の肩部
２２３  壁部
２３０  アーム部
２４０  枝部
２４１  指部
２４２、２４４、２４５  開口部
２４３  翼部
３００  外装部
３１０  シート部
３１１  上面
３１２  下面
３１３  保持部
３１４  外縁保持部
３２０  外郭部
３２１  内壁面
３２２  外壁面
３３０  機器収容凹部
３４０  機器導入口
４００  粘着ゲルシート
【図１】
2013203272.tif 000003
【図２】
2013203272.tif 000004
【図３】
2013203272.tif 000005
【図４】
2013203272.tif 000006
【図５】
2013203272.tif 000007
【図６】
2013203272.tif 000008
【図７】
2013203272.tif 000009